(57)【特許請求の範囲】
【請求項１】
書籍コンテンツの各ページを表示する複数の表示部と、
当該各表示部の表示動作を制御する表示制御手段と、
表示する前記書籍コンテンツの種類を特定し、特定した種類に対応した操作指令表示を、表示するページに重畳して一の前記表示部に表示すると共に、前記操作指令表示の選択入力を受け付けることにより当該操作指令表示に対応した操作指令の入力を受け付ける操作指令受付手段と、
前記一の表示部に表示されているページの内容と前記操作指令受付手段にて受け付けられた前記操作指令の内容とに基づく処理を実行するデータ処理手段と、を備え、
前記表示制御手段は、前記データ処理手段による処理結果を表す処理結果データを、前記一の表示部とは異なる他の表示部に表示する、
ことを特徴とする情報処理装置。
【請求項２】
前記データ処理手段は、前記操作指令の内容に対応したデータ格納領域にアクセスして、当該データ格納領域から前記一の表示部に表示されている前記ページの内容に対応した処理結果データを取得し、
前記表示制御手段は、前記データ処理手段にて取得した処理結果データを、前記他の表示部に表示する、
ことを特徴とする請求項１に記載の情報処理装置。
【請求項３】
前記データ処理手段は、前記操作指令の内容に対応した所定のウェブサイトにアクセスして、当該ウェブサイトから前記一の表示部に表示されている前記ページの内容に対応した前記処理結果データを取得し、
前記表示制御手段は、前記データ処理手段にて取得した処理結果データを、前記他の表示部に表示する、
ことを特徴とする請求項１に記載の情報処理装置。
【請求項４】
前記データ処理手段は、前記操作指令の内容に対応した所定のウェブサイトにアクセスして、当該ウェブサイトから前記一の表示部に表示されている前記ページに予め設定された特定箇所のデータに対応した前記処理結果データを取得する、
ことを特徴とする請求項３に記載の情報処理装置。
【請求項５】
前記一の表示部に表示されている前記ページ内の所定箇所の選択入力を受け付ける選択受付手段を備え、
前記データ処理手段は、前記操作指令の内容に対応した所定のウェブサイトにアクセスして、当該ウェブサイトから前記一の表示部に表示されている前記ページ内の前記選択受付手段にて選択された選択箇所のデータに対応した前記処理結果データを取得する、
ことを特徴とする請求項３に記載の情報処理装置。
【請求項６】
前記操作指令受付手段にて受け付けられた前記操作指令が情報検索指令である場合に、前記データ処理手段は、情報検索処理を行うウェブサイトにアクセスして、当該ウェブサイトから前記ページの内容に対応した情報検索処理結果を表す前記処理結果データを取得する、
ことを特徴とする請求項３に記載の情報処理装置。
【請求項７】
前記操作指令受付手段にて受け付けられた前記操作指令が購入指令である場合に、前記データ処理手段は、購入処理を行うウェブサイトにアクセスして、当該ウェブサイトから前記ページの内容に対応した購入処理画面を表す前記処理結果データを取得する、
ことを特徴とする請求項３に記載の情報処理装置。
【請求項８】
前記操作指令受付手段にて受け付けられた前記操作指令が情報共有指令である場合に、前記データ処理手段は、前記ページの内容に対応した情報共有ウェブサイトにアクセスして、当該ウェブサイトを表示するための前記処理結果データを取得する、
ことを特徴とする請求項３に記載の情報処理装置。
【請求項９】
前記操作指令受付手段にて前記表示部に表示される前記操作指令表示として、第一の操作指令表示と、当該第一の操作指令表示に対応した操作指令のさらに詳細な操作指令を表す第二の操作指令表示と、が予め設定されており、
前記操作指令受付手段は、前記第一の操作指令表示を表示して当該第一の操作指令表示の選択を受け付け、当該選択された第一の操作指令表示に対応する操作指令に設定された前記第二の操作指令表示を表示して当該第二の操作指令表示の選択を受け付け、
前記データ処理手段は、選択された第二の操作指令表示に対応する操作指令の内容に基づく処理を実行する、
ことを特徴とする請求項１乃至８の何れか１項に記載の情報処理装置。
【請求項１０】
前記複数の表示部は、同時に閲覧可能なよう係合された２つの表示部であり、
前記表示制御手段は、一方の前記表示部に表示されたページの内容に基づく前記データ処理手段による処理結果を表す前記処理結果データを、他方の前記表示部に表示する、
ことを特徴とする請求項１乃至９の何れか１項に記載の情報処理装置。
【請求項１１】
前記２つの表示部は、開閉あるいはスライド可能に連結されている、
ことを特徴とする請求項１０に記載の情報処理装置。
【請求項１２】
前記表示部は、タッチパネルにて形成され、外部からのタッチ入力を受け付け可能であり、
前記操作指令受付手段は、前記表示部に表示されている前記操作指令表示に対してタッチ入力されることにより行われる当該操作指令表示の選択を受け付け、当該選択された操作指令表示に対応する操作指令の入力を受け付ける、
ことを特徴とする請求項１乃至１１の何れか１項に記載の情報処理装置。
【請求項１３】
前記操作指令受付手段は、前記他の表示部に表示された前記処理結果データに対する第２の操作指令の入力を受け付け、
前記データ処理手段は、前記他の表示部に表示されている前記処理結果データの内容と前記操作指令受付手段にて受け付けられた前記第２の操作指令の内容とに基づく第２の処理を実行し、
前記表示制御手段は、前記第２の処理の結果を表す第２の処理結果データを、前記他の表示部とは異なる表示部に表示する、
ことを特徴とする請求項１乃至１２の何れか１項に記載の情報処理装置。
【請求項１４】
書籍コンテンツの各ページを表示する複数の表示部を備えた情報処理装置に、
前記各表示部の表示動作を制御する表示制御手段と、
表示する前記書籍コンテンツの種類を特定し、特定した種類に対応した操作指令表示を、表示するページに重畳して一の前記表示部に表示すると共に、前記操作指令表示の選択入力を受け付けることにより当該操作指令表示に対応した操作指令の入力を受け付ける操作指令受付手段と、
前記一の表示部に表示されているページの内容と前記操作指令受付手段にて受け付けられた前記操作指令の内容とに基づく処理を実行するデータ処理手段と、
を実現させると共に、
前記表示制御手段は、前記データ処理手段による処理結果を表す処理結果データを、前記一の表示部とは異なる他の表示部に表示する、
ことを特徴とするプログラム。
【請求項１５】
前記データ処理手段は、前記操作指令の内容に対応したデータ格納領域にアクセスして、当該データ格納領域から前記一の表示部に表示されている前記ページの内容に対応した処理結果データを取得し、
前記表示制御手段は、前記データ処理手段にて取得した処理結果データを、前記他の表示部に表示する、
ことを特徴とする請求項１４に記載のプログラム。
【請求項１６】
書籍コンテンツの各ページを表示する複数の表示部のうち一の表示部に表示されたページに、表示する前記書籍コンテンツの種類に対応した操作指令表示を重畳して表示すると共に、前記操作指令表示の選択入力を受け付けることにより当該操作指令表示に対応した操作指令の入力を受け付ける操作指令受付工程と、
前記一の表示部に表示されている前記ページの内容と前記操作指令受付工程にて受け付けられた前記操作指令の内容とに基づく処理を実行するデータ処理工程と、
前記データ処理工程による処理結果を表す処理結果データを前記一の表示部とは異なる他の表示部に表示する表示制御工程と、を有する
ことを特徴とする表示制御方法。
【請求項１７】
前記データ処理工程は、前記操作指令の内容に対応したデータ格納領域にアクセスして、当該データ格納領域から前記一の表示部に表示されている前記ページの内容に対応した前記処理結果データを取得し、
前記表示制御工程は、前記データ処理工程にて取得した前記処理結果データを、前記他の表示部に表示する、
ことを特徴とする請求項１６に記載の表示制御方法。
【発明の詳細な説明】
【技術分野】
【０００１】
本発明は、情報処理装置にかかり、特に、複数の表示画面を有する情報処理装置、表示制御方法、及びプログラムに関する。
【背景技術】
【０００２】
近年、携帯電話機は多機能化しており、小型コンピュータとして利用されつつある。例えば、携帯電話機が備える機能の一例として、データ通信機能があり、これに伴い、受信したデータを閲覧すべく、書籍、雑誌、新聞等の表示用機器としての機能がある。そして、電子機器を表示用機器として利用する頻度が高くなりつつある状況においては、当該電子機器のさらなる操作性や視認性の向上が望まれている。【０００３】
ここで、電子機器に表示する画像の視認性の向上や操作性の向上を図るための技術が、特許文献１乃至３に開示されている。具体的に、特許文献１に開示の携帯型電子機器は、２つの表示ユニットを備え、相互に折り畳み方向に開閉可能であると共に、２つの表示ユニットの各側面で並列に合体可能な構成を採っている。また、特許文献２に開示の画像表示制御装置は、表示画面上のタッチされた部分を中心に設定された倍率で拡大表示する機能を有している。また、特許文献３に開示の表示システムは、無線通信にて接続された２つの表示部を備えている。そして、この表示システムは、第１表示部に対する第２表示部の相対的な位置に基づいて、第１表示部に表示している表示データの一部を拡大して第２表示部に表示する機能を備えている。
【先行技術文献】
【特許文献】
【０００４】
【特許文献１】国際公開ＷＯ２００５／０２００４６号パンフレット
【特許文献２】特開２００３−２３３３６８号公報
【特許文献３】特開２００８−３５７４号公報
【発明の概要】
【発明が解決しようとする課題】
【０００５】
しかしながら、上述した特許文献１〜３に開示の技術では、表示用機器として視認性、操作性共に、依然としてさらなる改善が必要である。特に、特許文献２では、表示画面上の所望の部分をタッチすることで拡大表示するものの、元の画面に代わって拡大画面が表示されるため、後に元の画面を参照したり、元の画面に対する操作を行いたい場合には、元の画面に戻る操作を行う必要があり、操作性及び視認性が不十分である。また、特許文献３では、第１表示部に対して第２表示部を相対的に移動させる必要があるため、当該第２表示部を移動操作している操作者が、さらに第２表示部に表示された表示データに対して操作を行うことが困難であり、操作性が低い、という問題がある。【０００６】
本発明は上記実情に鑑みてなされたものであり、表示されるデータに対する操作性及び視認性の向上を図る、情報処理装置、表示制御方法、及びプログラムを提供することを目的とする。
【課題を解決するための手段】
【０００７】
かかる目的を達成するため本発明の一形態である情報処理装置は、
書籍コンテンツの各ページを表示する複数の表示部と、
当該各表示部の表示動作を制御する表示制御手段と、
表示する上記書籍コンテンツの種類を特定し、特定した種類に対応した操作指令表示を、表示するページに重畳して一の上記表示部に表示すると共に、上記操作指令表示の選択入力を受け付けることにより当該操作指令表示に対応した操作指令の入力を受け付ける操作指令受付手段と、
上記一の表示部に表示されているページの内容と上記操作指令受付手段にて受け付けられた上記操作指令の内容とに基づく処理を実行するデータ処理手段と、を備え、
上記表示制御手段は、上記データ処理手段による処理結果を表す処理結果データを、上記一の表示部とは異なる他の表示部に表示する、
ことを特徴とする。
【０００８】
また、本発明の他の形態であるプログラムは、
書籍コンテンツの各ページを表示する複数の表示部を備えた情報処理装置に、
上記各表示部の表示動作を制御する表示制御手段と、
表示する上記書籍コンテンツの種類を特定し、特定した種類に対応した操作指令表示を、表示するページに重畳して一の上記表示部に表示すると共に、上記操作指令表示の選択入力を受け付けることにより当該操作指令表示に対応した操作指令の入力を受け付ける操作指令受付手段と、
上記一の表示部に表示されているページの内容と上記操作指令受付手段にて受け付けられた上記操作指令の内容とに基づく処理を実行するデータ処理手段と、
を実現させると共に、
上記表示制御手段は、上記データ処理手段による処理結果を表す処理結果データを、上記一の表示部とは異なる他の表示部に表示する、
ことを特徴とする。
【０００９】
また、本発明の他の形態である表示制御方法は、
書籍コンテンツの各ページを表示する複数の表示部のうち一の表示部に表示されたページに、表示する上記書籍コンテンツの種類に対応した操作指令表示を重畳して表示すると共に、上記操作指令表示の選択入力を受け付けることにより当該操作指令表示に対応した操作指令の入力を受け付ける操作指令受付工程と、
上記一の表示部に表示されている上記ページの内容と上記操作指令受付工程にて受け付けられた上記操作指令の内容とに基づく処理を実行するデータ処理工程と、
上記データ処理工程による処理結果を表す処理結果データを上記一の表示部とは異なる他の表示部に表示する表示制御工程と、
を有することを特徴とする。
【発明の効果】
【００１０】
本発明は、以上のように構成されることにより、情報処理装置の表示操作時の操作性、及び、表示データの視認性の向上を図ることができる、という優れた効果を有する。
【図面の簡単な説明】
【００１１】
【図１】実施形態１における情報処理端末の外観構成を示す図である。
【図２】図１に開示した情報処理端末の構成を示すブロック図である。
【図３】図１に開示した情報処理端末における操作及び表示の様子を示す図である。
【図４】図１に開示した情報処理端末における操作及び表示の様子を示す図である。
【図５】図１に開示した情報処理端末における操作及び表示の様子を示す図である。
【図６】図１に開示した情報処理端末における操作及び表示の様子を示す図である。
【図７】図１に開示した情報処理端末における操作及び表示の様子を示す図である。
【図８】図１に開示した情報処理端末における操作及び表示の様子を示す図である。
【図９】図１に開示した情報処理端末における操作及び表示の様子を示す図である。
【図１０】図１に開示した情報処理端末における操作及び表示の様子を示す図である 。
【図１１】図１に開示した情報処理端末における操作及び表示の様子を示す図である 。
【図１２】図１に開示した情報処理端末における操作及び表示の様子を示す図である 。
【図１３】図１に開示した情報処理端末における操作及び表示の様子を示す図である。
【図１４】図１に開示した情報処理端末における操作及び表示の様子を示す図である。
【図１５】図１に開示した情報処理端末における操作及び表示の様子を示す図である。
【図１６】図１に開示した情報処理端末における操作及び表示の様子を示す図である。
【図１７】図１に開示した情報処理端末における操作及び表示の様子を示す図である。
【図１８】図１に開示した情報処理端末における操作及び表示の様子を示す図である。
【図１９】図１に開示した情報処理端末における操作及び表示の様子を示す図である。
【図２０】図１に開示した情報処理端末における操作及び表示の様子を示す図である。
【図２１】図１に開示した情報処理端末における操作及び表示の様子を示す図である。
【図２２】図１に開示した情報処理端末の動作を示すフローチャートである。
【図２３】実施形態２における情報処理端末の外観構成、及び、その操作と表示の様子を示す図である。
【図２４】実施形態３における情報処理端末の外観構成、及び、その操作と表示の様子を示す図である。
【発明を実施するための形態】
【００１２】
本発明の一形態である情報処理装置は、
複数の表示部と、当該各表示部の表示動作を制御する表示制御手段と、上記複数の表示部のうち一の表示部に表示された表示データに対する所定の操作指令の入力を受け付ける操作指令受付手段と、上記一の表示部に表示されている上記表示データの内容と上記操作指令受付手段にて受け付けられた上記操作指令の内容とに基づく処理を実行するデータ処理手段と、を備え、
上記表示制御手段は、上記データ処理手段による処理結果を表すデータを、上記一の表示部とは異なる他の表示部に表示する、
ことを特徴とする。
【００１３】
また、上記情報処理装置では、
上記データ処理手段は、上記操作指令の内容に対応したデータ格納領域にアクセスして、当該データ格納領域から上記一の表示部に表示されている上記表示データの内容に対応したデータを取得し、
上記表示制御手段は、上記データ処理手段にて取得したデータを、上記他の表示部に表示する、
ことを特徴とする。
【００１４】
また、上記情報処理装置では、
上記データ処理手段は、上記操作指令の内容に対応した所定のウェブサイトにアクセスして、当該ウェブサイトから上記一の表示部に表示されている上記表示データの内容に対応したデータを取得し、
上記表示制御手段は、上記データ処理手段にて取得したデータを、上記他の表示部に表示する、
ことを特徴とする。
【００１５】
また、上記情報処理装置では、
上記データ処理手段は、上記操作指令の内容に対応した所定のウェブサイトにアクセスして、当該ウェブサイトから上記一の表示部に表示されている上記表示データに予め設定された特定箇所のデータに対応したデータを取得する、
ことを特徴とする。
【００１６】
また、上記情報処理装置では、
上記一の表示部に表示されている上記表示データ内の所定箇所の選択入力を受け付ける選択受付手段を備え、
上記データ処理手段は、上記操作指令の内容に対応した所定のウェブサイトにアクセスして、当該ウェブサイトから上記一の表示部に表示されている上記表示データ内の上記選択受付手段にて選択された選択箇所のデータに対応したデータを取得する、
ことを特徴とする。
【００１７】
また、上記情報処理装置では、
上記操作指令受付手段にて受け付けられた上記操作指令が情報検索指令である場合に、上記データ処理手段は、情報検索処理を行うウェブサイトにアクセスして、当該ウェブサイトから上記表示データの内容に対応した情報検索処理結果を表すデータを取得する、
ことを特徴とする。
【００１８】
また、上記情報処理装置では、
上記操作指令受付手段にて受け付けられた上記操作指令が購入指令である場合に、上記データ処理手段は、購入処理を行うウェブサイトにアクセスして、当該ウェブサイトから上記表示データの内容に対応した購入処理画面を表すデータを取得する、
ことを特徴とする。
【００１９】
また、上記情報処理装置では、
上記操作指令受付手段にて受け付けられた上記操作指令が情報共有指令である場合に、上記データ処理手段は、上記表示データの内容に対応した情報共有ウェブサイトにアクセスして、当該ウェブサイトのデータを取得する、
ことを特徴とする。
【００２０】
また、上記情報処理装置では、
上記操作指令受付手段は、上記一の表示部に表示されている表示データの内容に応じて予め設定された操作指令を表す操作指令表示を上記表示部に表示すると共に、当該表示部に表示された操作指令表示の選択入力を受け付けることにより当該操作指令表示に対応した操作指令の入力を受け付ける、
ことを特徴とする。
【００２１】
また、上記情報処理装置では、
上記操作指令受付手段にて上記表示部に表示される上記操作指令表示として、第一の操作指令表示と、当該第一の操作指令表示に対応した操作指令のさらに詳細な操作指令を表す第二の操作指令表示と、が予め設定されており、
上記操作指令受付手段は、上記第一の操作指令表示を表示して当該第一の操作指令表示の選択を受け付け、当該選択された第一の操作指令表示に対応する操作指令に設定された上記第二の操作指令表示を表示して当該第二の操作指令表示の選択を受け付け、
上記データ処理手段は、選択された第二の操作指令表示に対応する操作指令の内容に基づく処理を実行する、
ことを特徴とする。
【００２２】
上記発明によると、まず、情報処理装置は、装備された一の表示部に所定の表示データを表示する。そして、この一の表示部に表示された表示データに対する操作指令をユーザが入力すると、情報処理装置は、表示されている表示データの内容と操作指令の内容とに基づく処理を実行する。例えば、表示データ内の情報検索や、表示データ内の商品・サービスを購入するためのウェブサイトへのアクセス、さらには、表示データ内の情報を共有可能なウェブサイトへのアクセスなどを行う。そして、情報処理装置は、表示データの内容と操作指令の内容とに基づく処理結果を、上記表示データとは異なる他の表示部に表示する。つまり、情報処理装置は、一の表示部に元となる表示データを表示したままの状態で、この表示データに基づいて実行された処理、例えば、検索結果や購入ウェブサイトの画面などを、他の表示部に表示する。
【００２３】
従って、ユーザは、簡易な操作で表示データを閲覧しつつ、当該表示データに対する処理データを他の表示部で同時に閲覧し操作することができる。その結果、表示操作時の操作性、及び、表示データの視認性の向上を図ることができる。
【００２４】
また、上記情報処理装置では、
上記複数の表示部は、同時に閲覧可能なよう係合された２つの表示部であり、
上記表示制御手段は、一方の上記表示部に表示された表示データの内容に基づく上記データ処理手段による処理結果を表すデータを、他方の上記表示部に表示する、
ことを特徴とする。
【００２５】
また、上記情報処理装置では、
上記２つの表示部は、開閉あるいはスライド可能に連結されている、
ことを特徴とする。
【００２６】
また、上記情報処理装置では、
上記表示部は、タッチパネルにて形成され、外部からのタッチ入力を受け付け可能であり、
上記操作指令受付手段は、上記表示部に表示されている操作指令表示に対してタッチ入力されることにより行われる当該操作指令表示の選択を受け付け、当該選択された操作指令表示に対応する操作指令の入力を受け付ける、
ことを特徴とする。
【００２７】
以下、本発明に係る、情報処理装置、プログラム、及び、表示制御方法、の各実施形態について、図１乃至図２４を参照しながら説明する。
【００２８】
＜実施形態１＞
本発明の第１の実施形態を、図１乃至図２２を参照して説明する。図１は、本実施形態における情報処理端末１００の外観構成を示す図である。図２は、情報処理端末１００の構成を示す機能ブロック図である。図３乃至図２１は、情報処理端末１００における操作及び表示の様子を示す図である。図２２は、情報処理端末１００の動作を示すフローチャートである。
【００２９】
［構成］
本実施形態における情報処理端末１００（情報処理装置）は、第一筺体１と第二筺体２とが、がヒンジ部３を介して相互に開閉自在に連結された折り畳み型の情報処理端末である。そして、第一筺体１は、第一表示部１０を備えており、また、第二筺体２は、第二表示部２０を備えている。このため、情報処理端末１００は、使用しないときには、第一表示部１０と第二表示部２０とを相互に内側にして、第一筺体１と第二筺体２とを折りたたむことができる。一方で、使用時には、第一筺体１と第二筺体２とを相互に開くことで、第一表示部１０と第二表示部２０とを同時に閲覧可能なよう構成されている。なお、第一表示部１０と第二表示部２０とは、それぞれがタッチパネルにて形成されており、外部から指やスタイラスペンなどで押圧されるなどタッチ入力を受けた時に、かかる入力を受け付けることが可能である。
【００３０】
情報処理端末１００の内部には、図２に示すように、演算装置であるＣＰＵ４０と、記憶装置であるメモリ５０と、無線通信を可能とする通信部６０と、を備えている。つまり、情報処理端末１００は、コンピュータとしての基本的な構成を備えている。具体的に、ＣＰＵ４０は、当該ＣＰＵ４０にプログラムが組み込まれることによって構築された表示制御部４１と、操作受付部４２と、データ処理部４３と、を備えている。また、メモリ５０は、コンテンツ記憶部５１を備えている。以下、各構成について詳述する。
【００３１】
表示制御部４１（表示制御手段）は、基本的な機能として、第一表示部１０と第二表示部２０の表示動作を制御する機能を有する。つまり、表示制御部４１は、第一表示部１０及び第二表示部２０の大部分を占めるメイン表示領域（領域）に、メモリ５０のコンテンツ記憶部５１に記憶されているコンテンツデータを読み出して表示する。また、表示制御部４１は、各表示部１０，２０の下側に形成された操作ボタン表示領域１１，２１に、複数の操作ボタンを表示する。
【００３２】
また、表示制御部４１は、後述する操作受付部４２が受け付けたユーザからの操作指令及び表示データの内容に応じて、データ処理部４３によって処理された結果を、各表示部１０，２０に表示する。このとき、データ処理部４３で、一方の表示部に表示されている表示データに基づく処理が行われた場合には、表示制御部４１は、その処理結果を他方の表示部に表示する。なお、この処理の詳細ついては後述する。
【００３３】
また、上記操作受付部４２（操作指令受付手段）は、基本的な機能として、ユーザからの操作入力を受け付ける。特に、本実施形態における情報処理端末１００では、操作受付部４２は、タッチパネルにて形成された第一表示部１０及び第二表示部２０に対するタッチ入力を、ユーザからの操作入力として受け付ける。例えば、ユーザが各表示部１０，２０の操作ボタン表示領域１１，２１に表示されている各操作ボタン（第一の操作指令表示）をタッチすると、操作受付部４２は、当該タッチされた操作ボタンに対応する操作指令を、表示部１０，２０に表示されている表示データに対する操作指令として受け付ける。
【００３４】
また、上述したように選択（タッチ）された各操作ボタンに対応する操作指令に、さらに詳細な操作指令が設定されている場合、表示制御部４１は、各操作指令毎の操作項目表示（第二の操作指令表示）を選択させるメニュー画面を、表示部１０，２０に表示する。そして、操作受付部４２は、このメニュー画面上でユーザがタッチした操作項目表示に対応する操作指令を、表示部１０，２０に表示されている表示データに対する操作指令として受け付ける。
【００３５】
なお、表示制御部４１は、第一表示部１０及び第二表示部２０に表示する表示データの種類を特定し、特定した種類に応じて、予め定められた種類の操作ボタン表示（第一の操作指令表示）や操作項目表示（第二の操作指令表示）を表示する。なお、表示データの種類の特定は、予め表示データ内に含まれる特定箇所あるいは特定形式にて記憶されている情報を参照して行えばよい。
【００３６】
また、操作受付部４２は、ユーザが各表示部１０，２０に表示されている表示データの所定箇所を、タッチやドラッグする等して選択した場合に、この選択した箇所に含まれる文字等のデータの選択を受け付ける機能（選択受付手段）を有する。このようにして選択された表示データ上の一部のデータに基づいて、上述した操作指令に応じた処理が、後述するデータ処理部４３により実行される。
【００３７】
データ処理部４３（データ処理手段）は、操作受付部４２がユーザからの操作指令を受け付けると、表示部１０，２０に表示されている表示データの内容と、受け付けた操作指令の内容と、に基づく処理を行い、処理結果を表示制御部４１に渡す。例えば、データ処理部４３は、表示データの内容に基づく検索処理を行ったり、表示データに関連するウェブサイトにアクセスして当該ウェブサイトのデータを取得する処理を行う。そして、表示制御部４１は、データ処理部４３による処理の結果を、表示部１０，２０に表示する。
【００３８】
次に、表示制御部４１、操作受付部４２、データ処理部４３が有する機能について、さらに詳述する。
【００３９】
まず、初期状態では、情報処理端末１００の表示制御部４１は、操作ボタン表示領域１１に、図３に示すような各操作ボタンを表示する。そして、ユーザが、図３に示すように、「本棚」ボタンＢ１１をタッチすることで（符号Ｕ１参照）、かかる操作指令の入力を操作受付部４２が受け付けて、表示制御部４１が第一表示部１０に閲覧可能な書籍コンテンツ一覧を表示する。なお、書籍コンテンツとは、例えば、すでに情報処理端末１００のコンテンツ記憶部５１に取り込んで記憶している、あるいは、通信部６０を介してデータ処理部４３がインターネット上のウェブサイトからアクセスして取得可能な新聞、雑誌、漫画など（以下、「書籍」と呼ぶ）のデータである。これら各書籍データのインデックスデータを選択可能なように、表示制御部４１が表示する。
【００４０】
そして、図３に示すように、ユーザが特定の書籍データのインデックスをタッチして選択することで（符号Ｕ２参照）、当該書籍データの選択を操作受付部４２が受け付ける。すると、表示制御部４１は、図４に示すように、第一表示部１０に選択した書籍データを表示する。ここでは、新聞が選択されたこととする。なお、図４では、第一表示部１０に新聞データが表示されている場合を示しているが、実際には、両表示部１０，２０に表示される。
【００４１】
また、このとき、情報処理端末１００の表示制御部４１は、表示する書籍データ内の情報から、表示するデータの種類が「新聞」であることを認識し、当該「新聞」に対応して予め設定されている操作ボタンを各表示部１０，２０の操作ボタン表示領域１１，２１に表示する。例えば、表示データの種類が「新聞」の場合には、図４に示すように、表示制御部４１は、「調べる」、「スクラップブック」、「バックナンバー」、「文字サイズ変更」など、新聞の表示データに対して使用されうる操作ボタンを表示する。
【００４２】
続いて、第一表示部１０に表示されている表示データに対して、ユーザが表示部１０上をタッチするなどその表示データ内の一部である所定箇所を選択すると（符号Ｕ参照）、操作受付部４２は、当該選択された表示データ内の選択範囲ａを特定し、その選択範囲ａの選択入力を受け付ける。例えば、図４に示す例では、表示データ内に予め範囲が区切られた領域ａが設定されており、この区切られた領域ａ内をユーザが選択した場合に、操作受付部４２は、この領域ａを選択された選択範囲ａとして特定する。
【００４３】
すると、表示制御部４１は、上記選択範囲ａ内のデータに予め対応付けられたデータを、当該選択範囲ａを選択した表示部とは異なる他の表示部に表示する。例えば、図４の場合には、表示制御部４１は、第一表示部１０に表示されている表示データのうち選択範囲ａ内のデータを、当該第一表示部１０での表示状態よりも拡大して、第二表示部２０全体に表示する。なお、このとき、表示制御部４１は、上記選択範囲ａ内のデータに予め対応付けられたデータとして、同一内容であるが、第一表示部１０に表示されているデータ形式とは異なるデータ形式のデータを、第二表示部２０に表示する。具体的には、図４の例では、第一表示部１０に図面形式のデータが表示されており、この中から選択範囲ａが選択された場合に、表示制御部４１は、当該選択範囲ａ内のデータと同一内容の文字形式のデータを、第二表示部２０に表示する。なお、表示制御部４１は、第二表示部２０に表示するデータ形式の異なるデータを、データ処理部４３が所定の文字認識処理等を行うことにより、選択範囲ａ内の画像データから取得してもよい。あるいは、表示制御部４１は、コンテンツ記憶部５１やネットワーク上の他のコンピュータに予め記憶されているデータ形式の異なるデータを取得してもよい。
【００４４】
そして、ユーザが表示データに対する所定の操作を行う場合には、目的の表示データが表示されている状態で、操作ボタン表示領域１１，２１内の操作ボタンを選択する。例えば、図５に示す例では、第二表示部２０に表示された特定の「記事」について、さらに調べたい場合を示している。この場合、ユーザは「調べる」ボタンＢ２１をタッチして選択すると（符号Ｕ１参照）、かかる選択を操作受付部４２が受け付ける。そして、表示制御部４１は、記事が表示されている第二表示部２０上に、「調べる」という操作内容に対応する、さらに詳細な操作項目を一覧表示したメニュー画面Ｍ１を表示する。ユーザは、メニュー画面Ｍ１から、詳細な操作項目（この例では、「ニュース検索サイト」）をタッチして選択すると（符号Ｕ２参照）、操作受付部４２は、この操作項目が示す操作内容の選択を受け付ける。
【００４５】
そして、データ処理部４３は、表示されている「記事」の内容と、ユーザが選択した操作内容と、に基づく処理を実行する。図５の例では、ユーザにより、操作内容として、「ニュース検索サイト」が選択されたため、データ処理部４３は、ニュース検索を行うために、予め設定されているウェブサイト（ニュース検索サイト）に通信部６０を介してアクセスして、表示されている「記事」の内容に関連する他のニュースを検索し、その検索結果を表すデータを取得する。具体的には、例えば、データ処理部４３は、ニュース検索サイトに対して記事のタイトル（△△△△）の文字列を含むニュースを検索するよう指令し、その検索結果（例えば、検索に合致した記事のタイトルの一覧を示すデータ）を取得する。そして、表示制御部４１は、図６に示すように、取得した検索結果を、検索対象となる記事が表示されている第二表示部２０とは異なる第一表示部１０に表示する。
【００４６】
なお、上記では、ウェブサイトから、表示している「記事」に関連するニュースを検索して、その検索結果を取得しているが、他のネットワーク上のデータベースなど所定のデータ格納領域から情報を検索して、その検索結果を取得してもよい。また、情報処理端末１００内に記憶された情報から、目的の情報を検索してもよい。
【００４７】
続いて、図７乃至図８に、他の操作を行った場合の一例を示す。図７乃至図８は、ユーザが、情報処理端末１００上で、拡大表示した記事内の特定の文言を調べるために行う操作、及び、その際の表示の様子を示した図である。具体的に、まず、ユーザは、図７に示すように、記事内の文字データをドラッグして、かかる文字部分を選択する（符号Ｕ１参照）。そして、操作受付部４２は、この文字部分の選択を受け付ける。その後、ユーザが操作ボタン表示領域１１内の「調べる」ボタンＢ２１をタッチして選択すると（符号Ｕ２参照）、操作受付部４２はかかる操作内容の選択を受け付ける。そして、表示制御部４１は、図８に示すように、「記事」が表示されている第二表示部２０上に、「調べる」という操作内容に対応する、さらに詳細な操作項目を一覧表示したメニュー画面Ｍ２を表示する。ユーザは、メニュー画面Ｍ２から、詳細な操作項目（この例では、「ネット辞書検索」）をタッチして選択すると（符号Ｕ参照）、操作受付部４２は、この操作項目が示す操作内容の選択を受け付ける。
【００４８】
そして、データ処理部４３は、表示されている「記事」内のうち選択された文言「○○○○」と、ユーザが選択した操作内容「ネット辞書検索」と、に応じたデータ処理を行う。具体的に、データ処理部４３は、図８の場合には、辞書情報を提供しているウェブサイトに通信部６０を介してアクセスして、選択された文言「○○○○」の意味を検索する処理を実行し、その検索結果を表すデータ（この例では、文言「○○○○」の意味が記載された文字データ）を取得する。そして、表示制御部４１は、図８に示すように、取得した検索結果を、検索対象となる記事の文言が表示されている第二表示部２０とは異なる第一表示部１０に表示する。
【００４９】
なお、上記では、調べる対象となる文言を選択した後に（図７の符号Ｕ１参照）、「調べる」ボタンを選択する操作（図７の符号Ｕ２参照）を行う場合を例示したが、すでに「調べる」ボタンが選択されている場合には、再度、当該「調べる」ボタンを選択する必要はない。例えば、図８に示すように、第一表示部１０に選択する予定の操作内容に基づく処理結果が表示されている場合には、その後、第二表示部２０で他の文言が選択され、これを操作受付部４２が受け付けた段階で、データ処理部４３がこの選択した他の文言の辞書検索処理が実行し、表示制御部４１がその検索結果を第一表示部１０に表示してもよい。
【００５０】
続いて、図９乃至図１１に、他の操作を行った場合の一例を示す。図９乃至図１１は、情報処理端末１００上で雑誌を閲覧しているユーザが、雑誌中に掲載されている「商品ａ」を購入するために行う操作、及び、その際の表示の様子を示した図である。まず、ユーザは、図９に示すように、表示されている雑誌内の「商品ａ」の表示箇所を選択する（符号Ｕ１参照）。そして、操作受付部４２は、当該「商品ａ」が選択されたことを受け付ける。その後、ユーザが操作ボタン表示領域１１内の「購入する」ボタンＢ２２をタッチして選択すると（符号Ｕ２参照）、操作受付部４２がかかる操作内容の選択を受け付ける。そして、表示制御部４１は、図１０に示すように、「商品ａ」が表示されている第一表示部１０上に、「購入する」という操作内容に対応するさらに詳細な操作項目を一覧表示したメニュー画面Ｍ３を表示する。ユーザは、メニュー画面Ｍ３から、詳細な操作項目（この例では、「専用ＥＣサイト」）をタッチして選択すると（符号Ｕ参照）、操作受付部４２は、この操作項目が示す操作内容の選択を受け付ける。
【００５１】
そして、データ処理部４３は、表示された雑誌から選択された「商品ａ」と、ユーザが選択した操作内容「購入する」及び「専用ＥＣサイト」と、に応じたデータ処理を行う。具体的に、この場合、データ処理部４３は、「商品ａ」の商品紹介及び購入フォーム等が用意された専用ＥＣサイトにアクセスして、この商品ａを購入するための商品購入サイトデータ（購入処理画面）を取得する。そして、表示制御部４１は、図１１に示すように、取得した商品購入サイトのデータを、選択した「商品ａ」が表示されている第一表示部１０とは異なる第二表示部２０に表示する。
【００５２】
また、図１２乃至図１４に、他の操作を行った場合の一例を示す。図１２乃至１４は、情報処理端末１００上で雑誌を閲覧しているユーザが、雑誌中に掲載されている「商品ａ」を購入するために行う操作、及び、その際の表示の様子を示した図である。まず、ユーザは、図１２に示すように、第一表示部１０に表示されている雑誌内の「商品ａ」の表示箇所を選択する（符号Ｕ参照）。そして、操作受付部４２は、「商品ａ」が選択されたことを受け付ける。すると、表示制御部４１は、一旦、第二表示部２０に、選択された「商品ａ」の詳細情報を表示する。なお、商品ａの詳細情報は、予め情報処理端末１００内に、表示用の雑誌データと共に記憶されており、商品ａの表示箇所に関連付けられている。あるいは、この商品ａの詳細情報は、ネットワーク上の他のコンピュータに記憶されており、商品ａが選択されたときに、情報処理端末１００のデータ処理部４３が通信部６０を介して他のコンピュータにアクセスして取得してもよい。
【００５３】
その後、第二表示部２０に商品ａを表示させた状態で、図１３に示すように、ユーザが操作ボタン表示領域１１内の「購入する」ボタンＢ２２をタッチして選択すると（符号Ｕ１参照）、操作受付部４２がかかる操作内容の選択を受け付ける。そして、表示制御部４１は、商品ａの詳細情報が表示されている第二表示部２０上に、「購入する」という操作内容に対応するさらに詳細な操作項目を一覧表示したメニュー画面Ｍ４を表示する。ユーザは、メニュー画面Ｍ４から、詳細な操作項目（この例では、「専用ＥＣサイト」）をタッチして選択すると（符号Ｕ２参照）、操作受付部４２は、この操作項目が示す操作内容の選択を受け付ける。
【００５４】
そして、データ処理部４３は、表示されている「商品ａ」と、ユーザが選択した操作内容「購入する」及び「専用ＥＣサイト」と、に応じたデータ処理を行う。具体的に、この場合、データ処理部４３は、「商品ａ」の商品紹介及び購入フォーム等が用意された専用ＥＣサイトにアクセスして、この商品ａ購入するための商品購入サイトデータ（購入処理画面）を取得する。そして、表示制御部４１は、図１４に示すように、取得した商品購入サイトのデータを、選択した「商品ａ」が表示されている第二表示部２０とは異なる第一表示部１０に表示する。
【００５５】
また、図１５乃至図１６に、他の操作を行った場合の一例を示す。図１５乃至１６は、商品ａの詳細情報を表示しているユーザが、その詳細情報内に含まれる特定の文言で特定される他の商品を購入するために行う操作、及び、その際の表示の様子を示した図である。まず、ユーザは、図１５に示すように、第二表示部２０に表示されている商品ａに関する情報内に含まれる他の商品を特定する文字データをドラッグして、この文字部分（この例では、「○○○○○○」）を選択すると（符号Ｕ１参照）、操作受付部４２は、ドラッグされた文字部分が選択されたことを受け付ける。そして、ユーザが操作ボタン表示領域１１内の「購入する」ボタンＢ２２をタッチして選択すると（符号Ｕ２参照）、操作受付部４２は、この操作内容が選択されたことを受け付ける。そして、表示制御部４１は、選択された文字部分が表示されている第二表示部２０上に、「購入する」という操作内容に対応するさらに詳細な操作項目を一覧表示したメニュー画面Ｍ５を表示する。ユーザは、メニュー画面Ｍ５から、詳細な操作項目（この例では、「大手ＥＣサイト」）をタッチして選択すると（符号Ｕ３参照）、操作受付部４２は、この操作項目が示す操作内容の選択を受け付ける。
【００５６】
そして、データ処理部４３は、選択された文言「○○○○○○」と、ユーザが選択した操作内容「購入する」及び「大手ＥＣサイト」と、に応じたデータ処理を行う。具体的に、この場合、データ処理部４３は、予め雑誌データ内にアドレスが登録されている１又は複数の大手ＥＣサイトに通信部６０を介してアクセスして、選択された文言にて特定される商品の購入サイトを検索する処理を実行し、その検索結果を表すデータを取得する。つまり、データ処理部４３は、選択された文言で特定される商品を購入可能なウェブサイトの一覧、場合によっては、購入フォームを含む情報を取得する。そして、表示制御部４１は、図１６に示すように、取得した検索結果を、購入対象となる商品の文言が表示されている第二表示部２０とは異なる第一表示部１０に表示する。
【００５７】
なお、上記では、文言を選択した後に、「購入する」ボタンを選択する操作を行う場合を例示したが、すでに「購入する」ボタン及び「大手ＥＣサイト」が選択されている場合には、再度、選択する必要はない。例えば、すでに図１６に示すように、第一表示部１０に選択する予定の操作内容に対応する処理結果が表示されている場合には、その後、第二表示部２０で他の文言が選択された段階で、操作受付部４２この他の文言で特定される商品の選択を受け付け、データ処理部４３が当該商品の検索処理を実行して検索結果を取得し、表示制御部４１が第一表示部１０に検索結果を表示するよう作動してもよい。
【００５８】
また、図１７乃至図１９に、他の操作を行った場合の一例を示す。図１７乃至図１９は、情報処理端末１００上で旅行雑誌を閲覧しているユーザが、この旅行雑誌内の地図に掲載されている「○○ホテル」に宿泊するために行う操作、及び、その際の表示の様子を示した図である。まず、図１７に示すように、情報処理端末１００上で表示されている旅行雑誌を閲覧しているユーザは、図１８に示すように、第一表示部１０に表示されている旅行雑誌内の「○○ホテル」の表示箇所を選択し（符号Ｕ参照）、操作受付部４２は、当該「○○ホテル」が選択されたことを受け付ける。すると、表示制御部４１は、選択された「○○ホテル」が表示されている第一表示部１０とは異なる第二表示部２０に、「○○ホテル」の詳細情報を表示する。なお、「○○ホテル」の詳細情報は、予め情報処理端末１００内に、表示用の雑誌データと共に記憶されており、○○ホテルの表示箇所に関連付けられている。あるいは、この○○ホテルの詳細情報は、ネットワーク上の他のコンピュータに記憶されており、第一表示部１０上で○○ホテルが選択されたときに、情報処理端末１００のデータ処理部４３が、通信部６０を介して、この他のコンピュータにアクセスして取得してもよい。
【００５９】
その後、ユーザは、第二表示部２０に「○○ホテル」の詳細情報を表示させた状態で、図１９に示すように、操作ボタン表示領域２１内の「予約する」ボタンＢ２７をタッチして選択すると（符号Ｕ参照）、操作受付部４２は、かかる操作内容の選択を受け付ける。そして、データ処理部４３は、表示されている「○○ホテル」と、ユーザが選択した操作内容「予約する」と、に応じたデータ処理を行う。具体的に、この場合、データ処理部４３は、「○○ホテル」の宿泊予約フォームが用意された宿泊予約サイトにアクセスして、当該宿泊予約サイトの宿泊予約フォームの表示用データを取得する。そして、表示制御部４１は、図１９に示すように、取得した宿泊予約フォームを、予約対象となる「○○ホテル」の詳細情報が表示されている第二表示部２０とは異なる第一表示部１０に表示する。
【００６０】
なお、上述した操作方法とは異なり、「○○ホテル」の詳細情報を表示させずに、宿泊予約フォームを表示させることも可能である。例えば、図１７の状態で、まず、ユーザが「予約する」ボタンを選択すると、操作受付部４２はかかる操作内容の選択を受け付ける。その後、ユーザが第一表示部１０上の予約対象となる「○○ホテル」を選択すると、操作受付部４２が当該「○○ホテル」が選択されたことを受け付ける。そして、データ処理部４３は、表示されている「○○ホテル」と、ユーザにて選択された操作内容「予約する」と、に応じて、「○○ホテル」の宿泊予約フォームが用意された宿泊予約サイトにアクセスして、宿泊予約フォームの表示用データを取得する処理を実行する。その後、表示状態が表示制御部４１は、図１７に示す状態であるとすると、取得した宿泊予約フォームの表示用データを、予約対象となる「○○ホテル」が表示されている第一表示部１０とは異なる第二表示部２０に表示する。
【００６１】
また、図２０乃至図２１に、他の操作を行った場合の一例を示す。図２０乃至図２１は、情報処理端末１００上で漫画「ＡＡＡ漫画第１巻」を閲覧しているユーザが、この漫画に関する情報を共有するために行う操作、及び、その際の表示の様子を示した図である。具体的に、まず、ユーザは、図２０に示すように、第一表示部１０、第二表示部２０に漫画が表示されている状態で操作ボタン表示領域１１内の「共有する」ボタンＢ２４をタッチして選択すると（符号Ｕ１参照）、操作受付部４２はかかる操作内容の選択を受け付ける。そして、表示制御部４１は、漫画が表示されている第一表示部１０上には、「共有する」という操作内容に対応するさらに詳細な操作項目を一覧表示したメニュー画面Ｍ６を表示する。ユーザは、メニュー画面Ｍ６から、詳細な操作項目（この例では、「ページ１掲示板」）をタッチして選択すると（符号Ｕ２参照）、操作受付部４２はかかる操作内容の選択を受け付ける。なお、ここでは、「共有する」という操作内容の詳細として、掲示板サイトなどユーザ同士が情報を共有できるコミュニティサイト（情報共有ウェブサイト）へのアクセス操作（アクセス先）が設定されており、特に、閲覧している漫画全体、各巻毎、及び、各ページ毎、に設定されている各掲示板などのサイトを選択することが可能である。
【００６２】
その後、データ処理部４３は、図２０に示すように、第一表示部１０に表示されている「ＡＡＡ漫画第１巻のページ１」と、ユーザが選択した操作内容「共有する」及び「ページ１掲示板」と、に応じたデータ処理を行う。具体的に、この場合、データ処理部４３は、上記「ＡＡＡ漫画第１巻のページ１」に関する掲示板サイトにアクセスして、この掲示板サイトの表示用データを取得する。そして、表示制御部４１が、図２１に示すように、取得したページ１に関する掲示板サイトを、「ＡＡＡ漫画第１巻のページ１」が表示されている第一表示部１０とは異なる第二表示部２０に表示する。
【００６３】
なお、上記では、漫画のページ１に関する掲示板を表示させる場合を例示したが、漫画の各巻や全体毎に設定されている掲示板（サイト）が選択された場合には、情報処理端末１００は、当該選択に応じた各種掲示板（サイト）を表示するよう作動する。
【００６４】
［動作］
次に、上記構成の情報処理端末１００の動作を、図２２のフローチャートを参照して説明する。まず、ユーザは、情報処理端末１００を操作して、表示するブック（書籍コンテンツ）を選択する（ステップＳ１）。そして、情報処理端末１００の表示制御部４１は、選択された新聞や雑誌、漫画などの書籍コンテンツを、コンテンツ記憶部５１から取得し、第一表示部１０、第二表示部２０に２ページずつ表示する（ステップＳ２）。なお、選択されたコンテンツは、データ処理部４３が、通信部６０を介して、他のコンピュータから取得したものでもよい。
【００６５】
その後、ユーザが表示されているページ（表示データ）内で、所定の操作を希望する場合には、その操作を行うために、操作ボタン表示領域１１，２１内から操作ボタンをタッチして選択する（ステップＳ３でイエス）。
そして、操作受付部４２は選択された操作ボタンに対応した操作内容を受け付ける。なお、受け付けた操作内容に、より詳細な操作内容が用意されている場合には、表示制御部４１は、この用意された詳細な操作内容（項目）を一覧表示するメニュー画面を表示し、操作受付部４２は、このメニュー画面内から操作内容（項目）の選択を受け付ける（ステップＳ４、操作指令受付工程）。
【００６６】
続いて、情報処理端末１００のデータ処理部４３は、表示している表示データの内容と、選択を受け付けた操作内容と、に対応するデータを、関連するウェブサイトなどから取得する（ステップＳ５、データ処理工程）。その後、表示制御部４１は、ウェブサイトなどから取得したデータ、つまり、検索結果や購入画面、掲示板などのデータを、対象となる表示データが表示されている表示部とは異なる他の表示部に表示する（ステップＳ６、表示制御工程）。
【００６７】
なお、表示部に表示されている情報内から特定の文言や表示に対応するデータの取得を希望する場合には、上記ステップＳ３，Ｓ４の操作内容の選択に前後して、ユーザは文言や表示を選択する処理を行う。これにより、情報処理端末１００は、選択された文言や表示に対応付けられた情報について、選択された操作内容に従った処理を行う。
【００６８】
このようにして、例えば、図６の例では、情報処理端末１００は、第二表示部２０に表示している新聞記事のタイトルを含むニュースを検索した結果を、第一表示部１０に表示する。また、図８の例では、情報処理端末１００は、第二表示部２０に表示している新聞記事のうち選択された文言「○○○○」を辞書で検索した結果を、第一表示部１０に表示する。また、図１２の例では、情報処理端末１００は、第一表示部１０に表示している雑誌内の商品ａの購入画面を、第二表示部２０に表示する。また、図１４の例では、情報処理端末１００は、第二表示部２０に表示している商品ａの購入画面を、第一表示部１０に表示する。また、図１６の例では、情報処理端末１００は、第二表示部２０に表示している商品ａ情報内のうち選択された文言「○○○○○○」で特定される商品の購入サイトの検索結果を、第一表示部１０に表示する。また、図１９の例では、情報処理端末１００は、第二表示部２０に表示している○○ホテルの宿泊予約画面を、第一表示部１０に表示する。また、図２１の例では、情報処理端末１００は、第一表示部１０に表示しているＡＡＡ漫画のページ１の掲示板サイトを、第二表示部２０に表示する。
【００６９】
以上のように、本発明における情報処理端末１００は、一の表示部に元となる表示データを表示したままの状態で、この表示データに基づいて実行された処理、例えば、検索結果や購入ウェブサイトの画面などを、他の表示部に表示する。従って、ユーザは、簡易な操作で、表示データを閲覧しつつ、当該表示データに対する処理データを他の表示部で同時に閲覧し操作することができる。その結果、表示操作時の操作性、及び、表示データの視認性の向上を図ることができる。
【００７０】
なお、上述した情報処理端末１００では、２つの表示部１０，２０が開閉可能にヒンジ３で連結している構成を例示したが、本発明は、必ずしもかかる構成であることに限定されない。例えば、２つの表示部１０，２０がスライド可能に係合されていてもよく、あるいは、後述するように、分離して備えられていてもよい。
【００７１】
＜実施形態２＞
次に、本発明の第２の実施形態を、図２３を参照して説明する。図２３は、本実施形態における情報処理端末２００の外観構成を示すと共に、当該情報処理端末２００における操作及び表示の様子を示す図である。
【００７２】
本実施形態における情報処理端末２００（情報処理装置）は、第一表示部２１０と、第二表示部２２０と、がヒンジ部を介して相互に開閉自在に連結された折り畳み型の情報処理端末であり、上記実施形態１で示した情報処理端末１００を９０度回転させた状態で構成されている。つまり、本実施形態における情報処理端末２００は、第一表示部２１０と第二表示部２２０とが、実施形態１のように左右ではなく上下に配置されている。また、操作ボタン表示領域２１１が第一表示部２１０の下欄に全て集められて表示されている。なお、情報処理端末２００の内部構成は、図２に示す構成と同じである。
【００７３】
従って、例えば、図２３に示すように、第一表示部２１０上に表示データが表示されている場合に、かかる表示データに対してユーザが「調べる」操作ボタンを選択すると、まず、情報処理端末２００が、表示されているデータを特定すると共に、「調べる」という操作内容が選択されたことを受け付ける。そして、情報処理端末２００は、表示データに関連する情報をウェブサイトなどから検索してその検索結果を取得し、当該検索結果を第二表示部２２０上に表示する。また、本実施形態における情報処理端末２００は、実施形態１と同様に、各操作指令に応じた他の処理も実行可能である。
【００７４】
なお、本実施形態における情報処理端末２００は、単に実施形態１にて説明した情報処理端末１００と同一の端末にて形成されていてもよい。つまり、情報処理端末１００を９０度回転した際に、当該情報処理端末１００が、内蔵された加速度センサ等にてこれを検知し、自動的に第一表示部１０及び第二表示部２０における表示データの表示向きを同じ方向に９０度回転して変更表示し、また、操作ボタン表示領域の位置を変更して表示することによって実現できる。
【００７５】
＜実施形態３＞
次に、本発明の第３の実施形態を、図２４を参照して説明する。図２４は、本実施形態における情報処理装置３００の外観構成を示すと共に、当該情報処理装置３００における操作及び表示の様子を示す図である。
【００７６】
本実施形態における情報処理装置３００は、第一表示部３１０と、第二表示部３２０と、を接続して備えたデュアルディスプレイ型のコンピュータである。情報処理装置３００の内部構成は、図２に示す構成と同じである。
【００７７】
従って、例えば、第一表示部３１０上に表示データが表示されている場合に、かかる表示データに対してユーザが「調べる」操作ボタンを選択すると、上述同様に、情報処理装置３００は、その検索結果を第二表示部３２０上に表示する。なお、本実施形態における情報処理装置３００は、実施形態１と同様に、各操作指令に応じた他の処理も実行可能である。
【００７８】
以上説明したように、本発明は、２つの表示部が開閉可能に一体的に連結された情報処理端末に限定されず、２つの表示部が分離して装備されている情報処理装置にも適用可能である。
【００７９】
また、上記では、２つの表示部を備えている情報処理端末（装置）に適用することを例示したが、情報処理端末（装置）は、必ずしも表示部を２つ備えていることに限定されない。つまり、３つ以上の表示部を備えている情報処理端末（装置）であっても、表示データの内容に対応した処理結果を、当該表示データが表示されている表示部とは異なる表示部に表示することで、ユーザは、簡易な操作で、表示データを閲覧しつつ、当該表示データに対する処理データを他の表示部で同時に閲覧し操作することができる。その結果、表示操作時の操作性、及び、表示データの視認性の向上を図ることができる。
【００８０】
本出願は、２００８年６月３０日に出願された、日本国特許出願２００８−１６９８７３号に基づく。本明細書中に日本国特許出願２００８−１６９８７３号の明細書、特許請求の範囲、図面全体を参照として取り込むものとする。
【産業上の利用可能性】
【００８１】
本発明は、折り畳み型の携帯可能な情報処理端末など、複数の表示部を備えた情報処理装置に適用可能であり、産業上の利用可能性を有する。
【符号の説明】
【００８２】
１  第一筺体
２  第二筺体
３  ヒンジ
１０，２１０，３１０  第一表示部
２０，２２０，３２０  第二表示部
４０  ＣＰＵ
４１  表示制御部
４２  操作受付部
４３  データ処理部
５０  メモリ
５１  コンテンツ記憶部
６０  通信部
１００，２００  情報処理端末
３００  情報処理装置
【図１】
0005522041.tif 000002
【図２】
0005522041.tif 000003
【図３】
0005522041.tif 000004
【図４】
0005522041.tif 000005
【図５】
0005522041.tif 000006
【図６】
0005522041.tif 000007
【図７】
0005522041.tif 000008
【図８】
0005522041.tif 000009
【図９】
0005522041.tif 000010
【図１０】
0005522041.tif 000011
【図１１】
0005522041.tif 000012
【図１２】
0005522041.tif 000013
【図１３】
0005522041.tif 000014
【図１４】
0005522041.tif 000015
【図１５】
0005522041.tif 000016
【図１６】
0005522041.tif 000017
【図１７】
0005522041.tif 000018
【図１８】
0005522041.tif 000019
【図１９】
0005522041.tif 000020
【図２０】
0005522041.tif 000021
【図２１】
0005522041.tif 000022
【図２２】
0005522041.tif 000023
【図２３】
0005522041.tif 000024
【図２４】
0005522041.tif 000025